(57)【要約】【課題】乾燥時に比べて湿潤時に通気性が性能よく向上する織編物およびその製造方法を提供する。【解決手段】固有粘度が０．３０〜０．４３の、５−ナトリウムスルホイソフタル酸が２．０〜４．５モル％共重合された変性ポリエステルと、固有粘度が１．０〜１．４のポリアミドとを用いてサイドバイサイド型に溶融紡糸し複合繊維を得て、該複合繊維を用いて織編物を織編成した後、染色加工などの熱処理を施し前記複合繊維の捲縮を発現させ、かつ該織編物に吸水加工を施すことにより、前記複合繊維の乾燥時の捲縮率をＤＣＦ（％）、湿潤時の捲縮率をＨＣＦ（％）とするとき、ＤＣＦ−ＨＣＦ≧１０（％）とする。【選択図】図１
2006097147.tif 000002
【特許請求の範囲】
【請求項１】
ポリエステル成分とポリアミド成分とがサイドバイサイド型に接合された複合繊維を、織編物の全重量に対して１０重量％以上含む織編物であって、該織編物から抜出した前記複合繊維が、潜在捲縮性能が発現してなる捲縮構造を有しており、該複合繊維の乾燥時の捲縮率をＤＣＦ（％）、湿潤時の捲縮率をＨＣＦ（％）とするとき、ＤＣＦ−ＨＣＦ≧１０（％）であり、かつ織編物に吸水加工が施されてなることを特徴とする湿潤時に通気性が向上する織編物。
ただし、乾燥時とは、試料を温度２０℃、湿度６５％ＲＨ環境下に２４時間放置した後の状態であり、一方、湿潤時とは、試料を温度２０℃の水中に２時間浸漬した直後、一対のろ紙の間にはさみ、０．６９ｍＮ／ｃｍ２の圧力を５秒間かけて軽く水を拭き取った後の状態である。
【請求項２】
ポリエステル成分が、５−ナトリウムスルホイソフタル酸が２．０〜４．５モル％共重合された変性ポリエステルからなる、請求項１に記載の湿潤時に通気性が向上する織編物。
【請求項３】
前記の複合繊維が、無撚糸、または３００Ｔ／ｍ以下の撚りが施された甘撚り糸である
、請求項１または請求項２に記載の湿潤時に通気性が向上する織編物。
【請求項４】
織編物が、前記複合繊維と他の繊維（非捲縮もしくは湿潤時に捲縮率が実質的に変化しない捲縮繊維）とで構成される、請求項１〜３のいずれかに記載の湿潤時に通気性が向上する織編物。
【請求項５】
織編物の経方向および／または緯方向の伸縮率が１０％以上である、請求項１〜４のいずれかに記載の湿潤時に通気性が向上する織編物。
【請求項６】
織編物が２層以上の多層構造織編物であって、該織編物の少なくとも一層に、該層を構成する総繊維重量のうち３０重量％以上となるように前記複合繊維が含まれる、請求項５に記載の湿潤時に通気性が向上する織編物。
【請求項７】
前記の複合繊維と他の繊維とが、丸編組織の複合ループを形成してなる、請求項５に記載の湿潤時に通気性が向上する織編物。
【請求項８】
前記の複合繊維と他の繊維とが、引き揃えられて織組織の経糸および／または緯糸に配されてなる、請求項５に記載の湿潤時に通気性が向上する織編物。
【請求項９】
前記の複合繊維と他の繊維とが、各々織編物の構成糸条として、１本交互または複数本交互に配されてなる、請求項５に記載の湿潤時に通気性が向上する織編物。
【請求項１０】
前記の複合繊維と他の繊維とが、前記の複合繊維が芯部に位置し、他の繊維が鞘部に位置する芯鞘型複合糸として織編物に含まれる、請求項５に記載の湿潤時に通気性が向上する織編物。
【請求項１１】
他の繊維がポリエステル繊維である、請求項４〜１０のいずれかに記載の湿潤時に通気性が向上する織編物。
【請求項１２】
染色加工が施されてなる、請求項１〜１１のいずれかに記載の湿潤時に通気性が向上する織編物。
【請求項１３】
湿潤時における織編物の通気性が、乾燥時よりも３０％以上高くなる、請求項１〜１２のいずれかに記載の湿潤時に通気性が向上する織編物。
【請求項１４】
請求項１〜１３のいずれかに記載の織編物を用いてなる、アウター用衣料、スポーツ用衣料、およびインナー用衣料からなる群より選択される繊維製品。
【発明の詳細な説明】
【技術分野】
【０００１】
本発明は、発汗によるムレやベトツキを低減することができる織編物に関する。さらに詳しくは、ポリエステル成分とポリアミド成分とがサイドバイサイド型に接合された複合繊維を含む織編物であって、湿潤時における織編物の通気性が乾燥時よりも可逆的に性能よく向上する織編物および繊維製品に関するものである。
【背景技術】
【０００２】
従来、合成繊維や天然繊維などからなる織編物を、スポーツウエアーやインナーウエアーなどとして用いると、肌からの発汗によりムレやベトツキが発生するという問題があった。
【０００３】
このような発汗によって生じるムレやベトツキを解消する方法として、発汗時に織編物の通気性が向上することにより衣服内に滞留する水分を効果的に放出させ、一方、発汗が停止すると織編物の通気性が低下することにより水分の過剰な放散による寒気を抑制し、常に着心地を快適に保つことのできる通気性自己調節織編物が提案されている。
【０００４】
例えば、特許文献１では、ポリエステルとポリアミドの異質ポリマーを貼りあわせたサイドバイサイド型複合繊維を用いた通気性自己調節織編物が提案されている。しかしながら、かかる織編物において、確かに湿潤時の通気性が乾燥時よりも可逆的に向上するものの、その通気性の変化量は小さく、さらに性能のよい通気性自己調節織編物の提案がのぞまれている。
【０００５】
また、通気性自己調節織編物としては、吸湿性ポリマーからなり、加撚された合成繊維マルチフィラメント糸条を用いたもの（例えば、特許文献２参照）や、アセテート繊維を用いたもの（例えば、特許文献３参照）なども提案されている。
【０００６】
なお本発明者らは、特願２００４−２５６６２８号において、ポリエステル成分とポリアミド成分とが接合された複合繊維であって、性能のよい通気性自己調節織編物を得ることが可能な複合繊維を提案している。
【０００７】
【特許文献１】特開２００３−４１４６２号公報
【特許文献２】特開平１０−７７５４４号公報
【特許文献３】特開２００２−１８０３２３号公報
【発明の開示】
【発明が解決しようとする課題】
【０００８】
本発明は上記の背景に鑑みなされたものであり、その目的は、ポリエステル成分とポリアミド成分とがサイドバイサイド型に接合された複合繊維を含む織編物であって、湿潤時における織編物の通気性が、乾燥時よりも可逆的に性能よく向上する織編物および繊維製品を提供することにある。
【課題を解決するための手段】
【０００９】
本発明者らは上記の課題を達成するため鋭意検討した結果、ポリエステルとポリアミドの異質ポリマーを貼りあわせたサイドバイサイド型複合繊維を用いて織編物を織編成する際、該織編物から抜出した前記複合繊維が、潜在捲縮性能が発現してなる捲縮構造を有し、かつ湿潤時と乾燥時において特定の捲縮率を有しており、さらに該織編物に吸水加工が施されていると、所望の織編物および繊維製品が得られることを見出し、さらに鋭意検討を重ねることにより本発明を完成するに至った。
【００１０】
かくして、本発明によれば「ポリエステル成分とポリアミド成分とがサイドバイサイド型に接合された複合繊維を、織編物の全重量に対して１０重量％以上含む織編物であって、該織編物から抜出した前記複合繊維が、潜在捲縮性能が発現してなる捲縮構造を有しており、該複合繊維の乾燥時の捲縮率をＤＣＦ（％）、湿潤時の捲縮率をＨＣＦ（％）とするとき、ＤＣＦ−ＨＣＦ≧１０（％）であり、かつ織編物に吸水加工が施されてなることを特徴とする湿潤時に通気性が向上する織編物。」が提供される。
【００１１】
ただし、乾燥時とは、試料を温度２０℃、湿度６５％ＲＨ環境下に２４時間放置した後の状態であり、一方、湿潤時とは、試料を温度２０℃の水中に２時間浸漬した直後、一対のろ紙の間にはさみ、０．６９ｍＮ／ｃｍ２の圧力を５秒間かけて軽く水を拭き取った後の状態である。
【００１２】
ここで、ポリエステル成分が、５−ナトリウムスルホイソフタル酸が２．０〜４．５モル％共重合された変性ポリエステルであることが好ましい。かかる複合繊維は、無撚糸、または３００Ｔ／ｍ以下の撚りが施された甘撚り糸であることが好ましい。
【００１３】
本発明の織編物は、前記複合繊維と前記複合繊維以外の繊維（すなわち、非捲縮もしくは湿潤時に捲縮率が実質的に変化しない捲縮繊維であり、以下単に「他の繊維」ということもある。）とで構成されていてもよい。その際、該織編物の経方向および／または緯方向の伸縮率が１０％以上であることが好ましい。
【００１４】
本発明の織編物において、織編物が２層以上の多層構造織編物であって、該織編物の少なくとも一層に、該層を構成する総繊維重量のうち３０重量％以上となるように前記複合繊維が含まれていてもよい。また、前記の複合繊維と他の繊維とが、丸編組織の複合ループを形成していてもよい。また、前記の複合繊維と他の繊維とが、引き揃えられて織組織の経糸および／または緯糸に配されていてもよい。また、前記の複合繊維と他の繊維とが、各々織編物の構成糸条として、１本交互または複数本交互に配されていてもよい。さらに、前記の複合繊維と他の繊維とが、前記の複合繊維が芯部に位置し、他の繊維が鞘部に位置する芯鞘型複合糸として織編物に含まれていてもよい。なお、他の繊維がポリエステル繊維であることが好ましい。
【００１５】
本発明の織編物には染色加工が施されていることが好ましい。また、湿潤時における織編物の通気性が、乾燥時よりも３０％以上高くなることが好ましい。
【００１６】
本発明の織編物は、アウター用衣料、スポーツ用衣料、インナー用衣料などの繊維製品に好適に使用することができる。
【発明の効果】
【００１７】
本発明によれば、乾燥時に比べて湿潤時に通気性が可逆的に性能よく向上する織編物が得られる。かかる織編物をアウター用衣料、スポーツ用衣料、インナー用衣料などとして使用すると、発汗時に織編物の通気性が向上することにより衣服内に滞留する水分が効果的に放出され、一方、発汗が停止すると織編物の通気性が低下することにより水分の過剰な放散による寒気が抑制され、常に快適な着心地を保つことができる。
【発明を実施するための最良の形態】
【００１８】
以下、本発明の実施の形態について詳細に説明する。
本発明において、複合繊維はポリエステル成分とポリアミド成分とからなり、両成分はサイドバイサイド型に接合されている。
【００１９】
ここで、ポリエステル成分としては、他方のポリアミド成分との接着性の点で、スルホン酸のアルカリまたはアルカリ土類金属、ホスホニウム塩を有し、かつエステル形成能を有する官能基を１個以上もつ化合物が共重合された、ポリエチレンテレフタレート、ポリプロピレンテレフタレート、ポリブチレンタレフタレート等の変性ポリエステルが好ましく例示される。なかでも、汎用性およびポリマーコストの点で、前記化合物が共重合された、変性ポリエチレンテレフタレートが特に好ましい。その際、共重合成分としては、５−ナトリウムスルホイソフタル酸およびそのエステル誘導体、５−ホスホニウムイソフタル酸およびそのエステル誘導体、ｐ−ヒドロキシベンゼンスルホン酸ナトリウムなどがあげられる。なかでも、５−ナトリウムスルホイソフタル酸が好ましい。共重合量としては、２．０〜４．５モル％の範囲が好ましい。該共重合量が２．０モル％よりも小さいと、優れた捲縮性能が得られるものの、ポリアミド成分とポリエステル成分との接合界面にて剥離が生じるおそれがある。逆に、該共重合量が４．５モル％よりも大きいと、延伸熱処理の際、ポリエステル成分の結晶化が進みにくくなるため、延伸熱処理温度を上げる必要があり、その結果、糸切れが多発するおそれがある。
【００２０】
一方のポリアミド成分としては、主鎖中にアミド結合を有するものであれば特に限定されるものではなく、例えば、ナイロン−４、ナイロン−６、ナイロン−６６、ナイロン−４６、ナイロン−１２などがあげられる。なかでも、汎用性、ポリマーコスト、製糸安定性の点で、ナイロン−６およびナイロン−６６が好適である。
【００２１】
なお、前記ポリエステル成分およびポリアミド成分には、公知の添加剤、例えば、顔料、顔料、艶消し剤、防汚剤、蛍光増白剤、難燃剤、安定剤、帯電防止剤、耐光剤、紫外線吸収剤等が含まれていてもよい。
【００２２】
前記のサイドバイサイド型に接合された複合繊維は、任意の断面形状および複合形態をとることができる。図１は、本発明で使用されるサイドバイサイド型に接合された複合繊維の拡大横断面図を例示したものである。通常は（イ）、（ロ）のような横断面を有する複合繊維が用いられるが、（ハ）のような偏心芯鞘型であってもよい。さらには、三角形や四角形、その断面内に中空部を有するものであってもよい。なかでも、図１の（イ）のように、丸型であると、湿潤時に通気性が性能よく向上し好ましい。両成分の複合比は任意に選定することができるが、通常、ポリエステル成分とポリアミド成分の重量比で３０：７０〜７０：３０（より好ましくは４０：６０〜６０：４０）の範囲内であることが好ましい。
【００２３】
前記複合繊維の単糸繊度、単糸数（フィラメント数）としては特に限定されないが、単糸繊度１〜１０ｄｔｅｘ（より好ましくは２〜５ｄｔｅｘ）、単糸数１０〜２００本（より好ましくは２０〜１００本）の範囲内であることが好ましい。
【００２４】
また、本発明の織編物に含まれる複合繊維は、潜在捲縮性能が発現してなる捲縮構造を有している必要がある。異種ポリマーがサイドバイサイド型に接合された複合繊維は、通常、潜在捲縮性能を有しており、後記のように、染色加工等で熱処理を受けると潜在捲縮性能が発現する。捲縮構造としては、ポリアミド成分が捲縮の内側に位置し、ポリエステル成分が捲縮の外側に位置していることが好ましい。かかる捲縮構造を有する複合繊維は、後記の製造方法により容易に得ることができる。複合繊維がこのような捲縮構造を有していると、湿潤時に、内側のポリアミド成分が膨潤、伸張し、外側のポリエステル成分はほとんど長さ変化を起こさないため、捲縮率が低下する（複合繊維の見かけの長さが長くなる。）。一方、乾燥時には、内側のポリアミド成分が収縮し、外側のポリエステル成分はほとんど長さ変化を起こさないため、捲縮率が増大する（複合繊維の見かけの長さが短くなる。）。このように、湿潤時に、複合繊維の捲縮率が可逆的に低下するため、織編物内の空隙率が高まり、通気性が向上する。
【００２５】
前記の複合繊維は、湿潤時に、容易に捲縮が低下し通気性が性能よく向上する上で、無撚糸、または３００Ｔ／ｍ以下の撚りが施された甘撚り糸であることが好ましい。特に、無撚糸であることが好ましい。強撚糸のように、強い撚りが付与されていると、湿潤時に捲縮が低下しにくく好ましくない。なお、交絡数が２０〜６０ケ／ｍ程度となるようにインターレース空気加工および／または通常の仮撚捲縮加工が施されていてもさしつかえない。
【００２６】
本発明の織編物には、前記の複合繊維が含まれている。その際、織編物中に含まれる複合繊維の含有量は、重量基準で織編物全重量に対して、１０重量％以上（より好ましくは４０重量％以上）であることが肝要である。複合繊維の含有量が１０重量％よりも小さいと、湿潤時に通気性が性能よく向上しないおそれがある。
【００２７】
また、織編物が前記複合繊維と前記複合繊維以外の他の繊維とで構成される場合、かかる他の繊維としては特に限定されず、ポリエチレンタレフタレート、ポリトリメチレンテレフタレート、ポリブチレンテレフタレート等のポリエステル、ナイロン６、ナイロン６６等のポリアミド、ポリエチレン、ポリプロピレン等のポリオレフィン、アクリル、パラ型もしくはメタ型アラミド、およびそれらの変性合成繊維、さらには、天然繊維、再生繊維、半合成繊維など衣料に適した繊維であれば自由に選択できる。なかでも、湿潤時の寸法安定性や、前記複合繊維との相性（混繊性、交編・交織性、染色性）の点で、ポリエチレンテレフタレート、ポリプロピレンテレフタレート、ポリブチレンタレフタレートや、これらに前記共重合成分が共重合された変性ポリエステルからなるポリエステル繊維が好適である。また、かかる他の繊維の単糸繊度、単糸数（フィラメント数）としては特に限定されないが、織編物の吸水性を高め、湿潤時に通気性を性能よく向上させる上で、単糸繊度０．１〜５ｄｔｅｘ（より好ましくは０．５〜２ｄｔｅｘ）、単糸数２０〜２００本（より好ましくは３０〜１００本）の範囲内であることが好ましい。なお、交絡数が２０〜６０ケ／ｍ程度となるようにインターレース空気加工および／または通常の仮撚捲縮加工が他の繊維に施されていてもさしつかえない。
【００２８】
本発明の織編物に、前記の複合繊維と他の繊維が含まれる場合、両者は各々単独糸条で織編物を構成してもよいし、空気混繊糸、合撚糸、複合仮撚捲縮加工糸、引揃え糸などの複合糸として織編物を構成してもよい。
【００２９】
織編物の構造としては、その織編組織、層数は特に限定されるものではない。例えば、平織、綾織、サテンなどの織組織や、天竺、スムース、フライス、鹿の子、そえ糸編、デンビー、ハーフなどの編組織が好適に例示されるが、これらに限定されるものではない。層数も単層でもよいし、２層以上の多層であってもよい。
【００３０】
本発明の織編物において、織編物中の複合繊維の可動性（捲縮変化）を確保するため、経方向および／または緯方向の伸縮率が１０％以上（より好ましくは２０％以上、特に好ましくは２５〜１５０％）であることが好ましい。
【００３１】
次に、本発明の織編物において、該織編物から抜出した前記複合繊維が、潜在捲縮性能が発現してなる捲縮構造を有しており、前記複合繊維の乾燥時の捲縮率をＤＣＦ（％）、湿潤時の捲縮率をＨＣＦ（％）とするとき、ＤＣＦ−ＨＣＦ≧１０（％）（好ましくは、５０（％）≧ＤＣＦ−ＨＣＦ≧１０（％））であることが肝要である。ＤＣＦ−ＨＣＦが１０％未満では、乾燥時に比べて湿潤時に通気性が性能よく向上しないおそれがあり、好ましくない。
【００３２】
ここで、織編物中における複合繊維の捲縮率は、下記の方法により測定する。まず、織編物を温度２０℃、湿度６５％ＲＨの雰囲気中に２４時間放置した後、該織編物から織編物と同じ方向の３０ｃｍ×３０ｃｍの小片を裁断する（ｎ数＝５）。次いで、各々の小片から、複合繊維を取り出し、１．７６ｍＮ／ｄｔｅｘ（２００ｍｇ／ｄｅ）の荷重をかけて糸長Ｌ０ｆを測定し、除重１分後０．０１７６ｍＮ／ｄｔｅｘ（２ｍｇ／ｄｅ）の荷重をかけて糸長Ｌ１ｆを測定する。さらにこの糸を温度２０℃の水中に２時間浸漬した後取り出し、ろ紙にて０．６９ｍＮ／ｃｍ２（７０ｍｇｆ／ｃｍ２）の圧力を５秒間かけて軽く水を拭き取った後、１．７６ｍＮ／ｄｔｅｘ（２００ｍｇ／ｄｅ）の荷重をかけて糸長Ｌ０ｆ’を測定し、除重１分後０．０１７６ｍＮ／ｄｔｅｘ（２ｍｇ／ｄｅ）の荷重をかけて糸長Ｌ１ｆ’を測定する。以上の測定数値から下記の計算式にて、乾燥時の捲縮率ＤＣＦ（％）、湿潤時の捲縮率ＨＣＦ（％）、乾燥時と湿潤時の捲縮率差（ＤＣＦ−ＨＣＦ）（％）を算出する。なお、ｎ数は５でその平均値を求める。
乾燥時の捲縮率ＤＣＦ（％）＝（（Ｌ０ｆ−Ｌ１ｆ）／Ｌ０ｆ）×１００
湿潤時の捲縮率ＨＣＦ（％）＝（Ｌ０ｆ’−Ｌ１ｆ’）／Ｌ０ｆ’）×１００
【００３３】
また、本発明の織編物には吸水加工が施されている必要がある。織編物に吸水加工を施すことにより、少量の汗でも通気性が向上しやすくなる。かかる吸水加工としては通常の吸水加工でよく、例えば、ポリエチレングリコールジアクリレートやその誘導体、または、ポリエチレンテレフタレート−ポリエチレングリコール共重合体などの吸水加工剤を織編物に、織編物の重量に対して０．２５〜０．５０重量％付着させることなどが好ましく例示される。吸水加工の方法としては、例えば染色加工時に染液に吸水加工剤を混合する浴中加工法や、乾熱ファイナルセット前に、織編物を吸水加工液中にデイッピングしマングルで絞る方法、グラビヤコーテング法、スクリーンプリント法といった塗布による加工方法等が例示される。
【００３４】
本発明において、織編物の態様としては、（１）織編物が２層以上の多層構造織編物であって、該織編物の少なくとも一層に、該層を構成する総繊維重量のうち３０重量％以上となるように前記複合繊維が含まれる織編物、（２）前記の複合繊維と他の繊維とが丸編組織の複合ループを形成してなる織編物、（３）前記の複合繊維と他の繊維とが引き揃えられて織組織の経糸および／または緯糸に配されてなる織編物、（４）前記の複合繊維と他の繊維とが各々織編物の構成糸条として、１本交互または複数本交互に配されてなる織編物、（５）前記の複合繊維と他の繊維とが、複合繊維が芯部に位置し、他の繊維が鞘部に位置する芯鞘型複合糸として織編物に含まれる織編物、などが例示される。
【００３５】
また、織編物中に前記複合繊維と他の繊維とが含まれる場合、乾燥時において、複合繊維の糸長を（Ａ）、他の繊維の糸長を（Ｂ）とするとき、Ａ＜Ｂとなっていると、湿潤時に通気性が向上しやすく好ましい。逆に、Ａ＞ＢかＡ＝Ｂの場合、複合繊維が湿潤により捲縮率が低下して伸張される際、ゆとり量がなく、他の繊維が追従できないため、織編物の空隙率が低下してしまい、湿潤時に通気性が向上しないおそれがある。
【００３６】
ここで、糸長の測定は以下の方法で行うものとする。まず、織編物を温度２０℃、湿度６５％ＲＨの雰囲気中に２４時間放置した後、該織編物から、３０ｃｍ×３０ｃｍの小片を裁断する（ｎ数＝５）。続いて、各小片から、複合繊維糸条および他の繊維糸条を１本ずつ取り出し、複合繊維糸条の糸長Ａ（ｍｍ）、他の繊維糸条の糸長Ｂ（ｍｍ）を測定する。その際、非弾性糸の場合は１．７６ｍＮ／ｄｔｅｘ（２００ｍｇ／ｄｅ）、弾性糸の場合は０．００８８ｍＮ／ｄｔｅｘ（１ｍｇ／ｄｅ）の荷重をかけて測定する。ここで、小片から取り出す複合繊維糸条および他の繊維糸条とは織編物中において同一方向のものである必要がある。例えば、複合繊維糸条を織物の経糸（緯糸）から取り出す場合、他方の他の繊維糸条も経糸（緯糸）から取り出す必要がある。また、複合繊維糸条および他の繊維糸条が、複合糸として織編物を構成する場合には、裁断された小片（３０ｃｍ×３０ｃｍ）から複合糸を取り出し（ｎ数＝５）、さらに複合糸から複合繊維糸条と他の繊維糸条とを取り出して前記と同様にして測定するものとする。  
【００３７】
前記のように、複合繊維糸条と他の繊維糸条との糸長差をもうける方法としては、以下の方法が例示される。例えば、複合繊維糸条と他の繊維糸条とを用いて、前記の織編物を製編織する際、他の繊維糸条の沸水収縮率を１５％以下（より好ましくは１０％以下）とする方法や、複合繊維糸条と他の繊維糸条とを複合加工する際、他の繊維糸条をオーバーフィードさせる方法などが例示される。
【００３８】
本発明の織編物において、織編物中の複合繊維の可動性（捲縮変化）を確保するため、目付けは３００ｇ／ｍ２以下（より好ましくは１００〜２５０ｇ／ｍ２）であることが好ましい。
【００３９】
本発明の織編物は下記の製造方法によって容易に得ることができる。
まず、固有粘度が０．３０〜０．４３（オルソクロロフェノールを溶媒として３５℃で測定）の、５−ナトリウムスルホイソフタル酸が２．０〜４．５モル％共重合された変性ポリエステルと、固有粘度が１．０〜１．４（ｍ−クレゾールを溶媒として３０℃で測定）のポリアミドとを用いてサイドバイサイド型に溶融複合紡糸する。その際、ポリエステル成分の固有粘度が０．４３以下であることが特に重要である。ポリエステル成分の固有粘度が０．４３よりも大きいと、ポリエステル成分の粘度が増大するため、複合繊維の物性がポリエステル単独糸に近くなり、本発明が目的とする織編物が得られず好ましくない。逆に、ポリエステル成分の固有粘度が０．３０よりも小さいと、溶融粘度が小さくなりすぎて製糸性が低下するとともに毛羽発生が多くなり、品質および生産性が低下するおそれがある。
【００４０】
溶融紡糸の際に用いる紡糸口金としては、特開２０００−１４４５１８号公報の図１のような、高粘度側と低粘度側の吐出孔を分離し、かつ高粘度側吐出線速度を小さくした（吐出断面積を大きくした）紡糸口金が好適である。そして、高粘度側吐出孔に溶融ポリエステルを通過させ、低粘度側吐出孔に溶融ポリアミドを通過させ冷却固化させることが好ましい。その際、ポリエステル成分とポリアミド成分との重量比は、前述のとおり、３０：７０〜７０：３０（より好ましくは４０：６０〜６０：４０）の範囲内であることが好ましい。
【００４１】
また、溶融複合紡糸した後、一旦巻き取った後に延伸する別延方式を採用してもよいし、一旦巻き取らずに延伸熱処理を行う直延方式を採用してもよい。その際、紡糸・延伸条件としては、通常の条件でよい。例えば、直延方式の場合、１０００〜３５００ｍ／分程度で紡糸した後、連続して１００〜１５０℃の温度で延伸し巻き取る。延伸倍率は最終時に得られる複合繊維の切断伸度が１０〜６０％（好ましくは２０〜４５％）、切断強度が３．０〜４．７ｃＮ／ｄｔｅｘ程度となるよう、適宜選定すればよい。
【００４２】
ここで、前記の複合繊維が、下記の要件（１）および（２）を同時に満足することが好ましい。
（１）乾燥時における複合繊維の捲縮率ＤＣが１．５〜１３％（好ましくは２〜６％）の範囲内である。
（２）捲縮率ＤＣと、乾燥時における複合繊維の捲縮率ＨＣとの差（ＤＣ−ＨＣ）が０．５％以上（好ましくは１〜５％）である。
【００４３】
ただし、乾燥時とは、試料を温度２０℃、湿度６５％ＲＨ環境下に２４時間放置した後の状態であり、一方、湿潤時とは、試料を温度２０℃の水中に２時間浸漬した直後の状態であり、乾燥時における捲縮率ＤＣおよび湿潤時における捲縮率ＨＣは、下記の方法で測定した値を用いることとする。
【００４４】
まず、枠周：１．１２５ｍの巻き返し枠を用いて、荷重：４９／５０ｍＮ×９×トータルテックス（０．１ｇｆ×トータルデニール）をかけて一定の速度で巻き返し、巻き数：１０回の小綛をつくり、該小綛をねじり２重の輪状にしたものに４９／２５００ｍＮ×２０×９×トータルテックス（２ｍｇ×２０×トータルデニール）の初荷重をかけたまま沸水中に入れて３０分間処理し、該沸水処理の後１００℃の乾燥機にて３０分間乾燥し、その後さらに初荷重をかけたまま１６０℃の乾熱中に入れ５分間処理する。該乾熱処理の後に初荷重を除き、温度２０℃、湿度６５％ＲＨ環境下に２４時間以上放置した後、前記の初荷重および９８／５０ｍＮ×２０×９×トータルテックス（０．２ｇｆ×２０×トータルデニール）の重荷重を負荷し、綛長：Ｌ０を測定し、直ちに重荷重のみを取り除き、除重１分後の綛長：Ｌ１を測定する。さらにこの綛を初荷重をかけたまま温度２０℃の水中に２時間浸漬した後取り出し、ろ紙にて０．６９ｍＮ／ｃｍ２（７０ｍｇｆ／ｃｍ２）の圧力で軽く水を拭き取った後、初荷重および重荷重を負荷し綛長：Ｌ０’を測定し、直ちに重荷重のみを取り除き、除重１分後の綛長：Ｌ１’を測定する。以上の測定数値から下記の計算式にて、乾燥時の捲縮率（ＤＣ）、湿潤時の捲縮率（ＨＣ）、乾燥時と湿潤時の捲縮率差（ＤＣ−ＨＣ）を算出する。
乾燥時の捲縮率ＤＣ（％）＝（（Ｌ０−Ｌ１）／Ｌ０）×１００
湿潤時の捲縮率ＨＣ（％）＝（Ｌ０’−Ｌ１’）／Ｌ０’）×１００
【００４５】
前記の湿潤時における複合繊維の捲縮率ＨＣとしては、０．５〜１０．０％（好ましくは１〜３％）の範囲内であることが好ましい。
【００４６】
ここで、乾燥時における複合繊維の捲縮率ＤＣが１．５％よりも小さいと、湿潤時の捲縮変化量が小さくなるため、織編物の通気性変化量も小さくなるおそれがある。逆に、乾燥時における複合繊維の捲縮率ＤＣが１３％よりも大きい場合は、捲縮が強すぎて湿潤時に捲縮が変化しにくく、やはり織編物の通気性変化量も小さくなるおそれがある。また、乾燥時における複合繊維の捲縮率ＨＣとの差（ＤＣ−ＨＣ）が０．５％より小さい場合も、織編物の通気性変化量も小さくなるおそれがある。
【００４７】
次いで、前記複合繊維を単独で用いるか、他の繊維も同時に用いて織編物を織編成した後、染色加工などの熱処理により前記複合繊維の捲縮を発現させる。
【００４８】
ここで、織編物を織編成する際、前述のように、重量基準で織編物全重量に対して、１０重量％以上（好ましくは４０重量％以上）であることが肝要である。また、織編組織は特に限定されず、前述のものを適宜選定することができる。
【００４９】
前記染色加工の温度としては１００〜１４０℃（より好ましくは１１０〜１３５℃）、時間としてはトップ温度のキープ時間が５〜４０分の範囲内であることが好ましい。かかる条件で、織編物に染色加工を施すことにより、前記複合繊維は、ポリエステル成分とポリアミド成分との熱収縮差により捲縮を発現する。その際、ポリエステル成分とポリアミド成分として、前述のポリマーを選定することにより、ポリアミド成分が捲縮の内側に位置する捲縮構造となる。
【００５０】
染色加工が施された織編物には、通常、乾熱ファイナルセットが施される。その際、乾熱ファイナルセットの温度としては１２０〜２００℃（より好ましくは１４０〜１８０℃）、時間としては１〜３分の範囲内であることが好ましい。かかる、乾熱ファイナルセットの温度が１２０℃よりも低いと、染色加工時に発生したシワが残り易く、また、仕上がり製品の寸法安定性が悪くなるおそれがある。逆に、該乾熱ファイナルセットの温度が２００℃よりも高いと、染色加工の際に発現した複合繊維の捲縮が低下したり、繊維が硬化し生地の風合いが硬くなるおそれがある。
【００５１】
また、かかる織編物に吸水加工を施す必要がある。織編物に吸水加工を施すことにより、少量の汗でも通気性が向上しやすくなる。かかる吸水加工としては特に限定されず、ポリエチレングリコールジアクリレートやその誘導体、または、ポリエチレンテレフタレート−ポリエチレングリコール共重合体などの吸水加工剤を織編物に、織編物の重量に対して０．２５〜０．５０重量％付着させることが好ましく例示される。吸水加工の方法としては、例えば染色加工時に染液に吸水加工剤を混合する浴中加工法や、乾熱ファイナルセット前に、織編物を吸水加工液中にデイッピングしマングルで絞る方法、グラビヤコーテング法、スクリーンプリント法といった塗布による加工方法等が例示される。
【００５２】
かくして得られた織編物において、織編物に含まれる複合繊維の捲縮率が、湿潤時に性能良く小さくなるため、複合繊維の糸長が長くなり、その結果、織編物中の空隙が大きくなり通気性が向上する。一方、乾燥時には複合繊維の捲縮率が大きくなるため、複合繊維の糸長が短くなり、その結果、織編物中の空隙が小さくなり通気性が低下する。
【００５３】
前記の通気性としては、ＪＩＳ  Ｌ  １０９６−１９９８、６．２７．１、Ａ（フラジール型通気性試験機法）により測定された値（ｃｃ／ｃｍ２／ｓ）で、湿潤時の通気性が、乾燥時の通気性よりも３０％以上（好ましくは８０〜５００％）高いことが好ましい。通気性の変化率が３０％よりも小さいと、発汗時にムレ感の問題が発生しやすくなるおそれがある。
【００５４】
ただし、乾燥時とは、試料を温度２０℃、湿度６５％ＲＨ環境下に２４時間放置した後の状態であり、一方、湿潤時とは、試料を温度２０℃の水中に２時間浸漬した直後、一対のろ紙の間にはさみ、４９０Ｎ／ｍ２（５０ｋｇｆ／ｍ２）の圧力で１分間加重し繊維間に存在する水分を取り除いた状態であり、それぞれ通気性（ｎ数＝５）を測定し、その平均を求める。そして、通気性の変化率を下記式により算出する。
通気性の変化率（％）＝（（湿潤時の通気性）−（乾燥時の通気性））／（乾燥時の通気性）×１００
【００５５】
なお、本発明の織編物には、前記の加工以外に、常法の起毛加工、紫外線遮蔽あるいは抗菌剤、消臭剤、防虫剤、蓄光剤、再帰反射剤、マイナスイオン発生剤、撥水剤等の機能を付与する各種加工を付加適用してもよい。
【実施例】
【００５６】
以下、実施例をあげて本発明を詳細に説明するが、本発明はこれらによって何ら限定されるものではない。なお、実施例中の各物性は下記の方法により測定したものである。
【００５７】
＜ポリエステルの固有粘度＞オルソクロロフェノールを溶媒として使用し温度３５℃で測定した。
【００５８】
＜ポリアミドの固有粘度＞ｍ−クレゾールを溶媒として使用し温度３０℃で測定した。
【００５９】
＜破断強度、破断伸度＞繊維試料を、雰囲気温度２５℃、湿度６０％ＲＨの恒温恒湿に保たれた部屋に一昼夜放置した後、サンプル長さ１００ｍｍで（株）島津製作所製引張試験機テンシロンにセットし、２００ｍｍ／ｍｉｎの速度で伸張し、破断時の強度（ｃＮ／ｄｔｅｘ）、伸度（％）を測定した。なお、ｎ数５でその平均値を求めた。
【００６０】
＜沸水収縮率＞ＪＩＳ  Ｌ  １０１３−１９９８、７．１５で規定される方法により、沸水収縮率（熱水収縮率）（％）を測定した。なお、ｎ数３でその平均値を求めた。
【００６１】
＜複合繊維の捲縮率＞枠周：１．１２５ｍの巻き返し枠を用いて、荷重：４９／５０ｍＮ×９×トータルテックス（０．１ｇｆ×トータルデニール）をかけて一定の速度で巻き返し、巻き数：１０回の小綛をつくり、該小綛をねじり２重の輪状にしたものに４９／２５００ｍＮ×２０×９×トータルテックス（２ｍｇ×２０×トータルデニール）の初荷重をかけたまま沸水中に入れて３０分間処理し、該沸水処理の後１００℃の乾燥機にて３０分間乾燥し、その後さらに初荷重をかけたまま１６０℃の乾熱中に入れ５分間処理した。該乾熱処理の後に初荷重を除き、温度２０℃、湿度６５％ＲＨ環境下に２４時間以上放置した後、前記の初荷重および９８／５０ｍＮ×２０×９×トータルテックス（０．２ｇｆ×２０×トータルデニール）の重荷重を負荷し、綛長：Ｌ０を測定し、直ちに重荷重のみを取り除き、除重１分後の綛長：Ｌ１を測定した。さらにこの綛を初荷重をかけたまま温度２０℃の水中に２時間浸漬した後取り出し、ろ紙（大きさ３０ｃｍ×３０ｃｍ）にて０．６９ｍＮ／ｃｍ２（７０ｍｇｆ／ｃｍ２）の圧力を５秒間かけて軽く水を拭き取った後、初荷重および重荷重を負荷し綛長：Ｌ０’を測定し、直ちに重荷重のみを取り除き、除重１分後の綛長：Ｌ１’を測定する。以上の測定数値から下記の計算式にて、乾燥時の捲縮率ＤＣ（％）、湿潤時の捲縮率ＨＣ（％）、乾燥時と湿潤時の捲縮率差（ＤＣ−ＨＣ）（％）を算出した。なお、ｎ数は５で平均値を求めた。
乾燥時の捲縮率ＤＣ（％）＝（（Ｌ０−Ｌ１）／Ｌ０）×１００
湿潤時の捲縮率ＨＣ（％）＝（Ｌ０’−Ｌ１’）／Ｌ０’）×１００
【００６２】
＜織編物中における複合繊維の捲縮率＞織編物を温度２０℃、湿度６５％ＲＨの雰囲気中に２４時間放置した後、該織編物から織編物と同じ方向の３０ｃｍ×３０ｃｍの小片を裁断する（ｎ数＝５）。次いで、各々の小片から、複合繊維を取り出し、１．７６ｍＮ／ｄｔｅｘ（２００ｍｇ／ｄｅ）の荷重をかけて糸長Ｌ２を測定し、除重１分後０．０１７６ｍＮ／ｄｔｅｘ（２ｍｇ／ｄｅ）の荷重をかけて糸長Ｌ３を測定する。さらにこの糸を温度２０℃の水中に２時間浸漬した後取り出し、ろ紙（大きさ３０ｃｍ×３０ｃｍ）にて０．６９ｍＮ／ｃｍ２（７０ｍｇｆ／ｃｍ２）の圧力を５秒間かけて軽く水を拭き取った後、１．７６ｍＮ／ｄｔｅｘ（２００ｍｇ／ｄｅ）の荷重をかけて糸長Ｌ２’を測定し、除重１分後０．０１７６ｍＮ／ｄｔｅｘ（２ｍｇ／ｄｅ）の荷重をかけて糸長Ｌ３’を測定する。以上の測定数値から下記の計算式にて、乾燥時の捲縮率ＤＣＦ（％）、湿潤時の捲縮率ＨＣＦ（％）、乾燥時と湿潤時の捲縮率差（ＤＣＦ−ＨＣＦ）（％）を算出した。なお、ｎ数は５で平均値を求めた。
乾燥時の捲縮率ＤＣＦ（％）＝（（Ｌ０ｆ−Ｌ１ｆ）／Ｌ１ｆ）×１００
湿潤時の捲縮率ＨＣＦ（％）＝（Ｌ０ｆ’−Ｌ１ｆ’）／Ｌ１ｆ’）×１００
【００６３】
＜通気性＞ＪＩＳ  Ｌ  １０９６−１９９８、６．２７．１、Ａ（フラジール型通気性試験機法）により乾燥時の通気性（ｃｃ／ｃｍ２／ｓ）と湿潤時の通気性（ｃｃ／ｃｍ２／ｓ）を測定した。ただし、乾燥時とは、試料を温度２０℃、湿度６５％ＲＨ環境下に２４時間放置した後の状態であり、一方、湿潤時とは、試料を温度２０℃の水中に２時間浸漬した直後、一対のろ紙（大きさ５０ｃｍ×５０ｃｍ）の間にはさみ、４９０Ｎ／ｍ２（５０ｋｇｆ／ｍ２）の圧力で１分間加重し繊維間に存在する水分を取り除いた状態であり、それぞれ通気性（ｎ数＝５）を測定し、その平均を求めた。そして、通気性の変化率を下記式により算出した。
通気性の変化率（％）＝（（湿潤時の通気性）−（乾燥時の通気性））／（乾燥時の通気性）×１００
【００６４】
＜織編物の伸張率＞荷重を１／１０（１．４７Ｎ＝０．１５ｋｇｆ）に変更すること以外は、ＪＩＳ  Ｌ  １０９６  ８．１４。１、Ｂ法（定荷重法）と同じ方法で、織編物の経および緯方向の伸張率（％）を求めた。なお、ｎ数は５で平均値を求めた。
【００６５】
＜糸長の測定＞まず、織編物を温度２０℃、湿度６５％ＲＨの雰囲気中に２４時間放置した後、該織編物から、３０ｃｍ×３０ｃｍの小片を裁断する（ｎ数＝５）。続いて、各小片から、複合繊維糸条および他の繊維糸条を１本ずつ取り出し、複合繊維糸条の糸長Ａ（ｍｍ）、他の繊維糸条の糸長Ｂ（ｍｍ）を測定した。その際、非弾性糸の場合は１．７６ｍＮ／ｄｔｅｘ（２００ｍｇ／ｄｅ）、弾性糸の場合は０．００８８ｍＮ／ｄｔｅｘ（１ｍｇ／ｄｅ）の荷重をかけて測定した。なお、ｎ数は５で平均値を求めた。
【００６６】
［実施例１］
固有粘度［η］が１．３のナイロン６と、固有粘度［η］が０．３９で２．６モル％の５−ナトリウムスルフォイソフタル酸を共重合させた変性ポリエチレンテレフタレートとをそれぞれ２７０℃、２９０℃にて溶融し、特開２０００−１４４５１８号公報の図１と同様の複合紡糸口金を用い、それぞれ１２．７ｇ／分の吐出量にて押し出し、図１（イ）の単糸横断面形状を有するサイドバイサイド型複合繊維を形成させ、冷却固化、油剤を付与した後、糸条を速度１０００ｍ／分、温度６０℃の予熱ローラーにて予熱し、ついで、該予熱ローラーと、速度３０５０ｍ／分、温度１５０℃に加熱された加熱ローラー間で延伸熱処理を行い、巻取り、８４ｄｔｅｘ／２４ｆｉｌの複合繊維を得た。該複合繊維において、破断強度３．４ｃＮ／ｄｔｅｘ、破断伸度４０％であった。また、該複合繊維に沸水処理を施して捲縮率を測定したところ、乾燥時の捲縮率ＤＣが３．３％、湿潤時の捲縮率ＨＣが１．６％、乾燥時の捲縮率ＤＣと湿潤時の捲縮率ＨＣとの差（ＤＣ−ＨＣ）が１．７％であった。
【００６７】
次いで、前記の複合繊維（沸水処理されておらず、捲縮は発現していない。無撚糸）だけを用いて、２８ゲージのダブル丸編機を使用して、４２コース／２．５４ｃｍ、３５ウエール／２．５４ｃｍの生機密度にてスムース組織の丸編物を編成した。
【００６８】
そして、該丸編物を、温度１３０℃、キープ時間１５分で染色加工し、複合繊維の潜在捲縮性能を顕在化させた。その際、吸水加工剤（ポリエチレンテレフタレート−ポリエチレングリコール共重合体）を染液に対して２ｍｌ／ｌの割合にて、染色加工時に同浴処理を行うことにより、編物に吸水加工剤を付与した。次いで、該丸編物に、温度１６０℃、時間１分で乾熱ファイナルセットを施した。
【００６９】
得られた編物において、目付け２１４ｇ／ｍ２、経方向の伸張率７０％、緯方向の伸張率１１０％、乾燥時の通気性９０ｃｃ／ｃｍ２／ｓ、湿潤時の通気性３７０ｃｃ／ｃｍ２／ｓ、通気性の変化率３１１％と湿潤時に通気性が大きく向上し満足なものであった。また、該編物から抜き取った複合繊維において、乾燥時の捲縮率ＤＣＦが６８％、湿潤時の捲縮率ＨＣＦが２２％、乾燥時と湿潤時の捲縮率差（ＤＣＦ−ＨＣＦ）が４６％であった。
【００７０】
［実施例２］
実施例１で用いた複合繊維と、通常のポリエチレンテレフタレートマルチフィラメント糸条（８４ｄｔｅｘ／３０ｆｉｌ）とを用いて、実施例１と同様に２８ゲージのダブル丸編機を使用して、複合繊維糸条とポリエチレンテレフタレートマルチフィラメント糸条とを１糸条交互に給糸し、５４コース／２．５４ｃｍ、３４ウエール／２．５４ｃｍの生機密度にてスムース組織の丸編物を編成した。次いで、該丸編物に、実施例１と同様に染色加工、吸水加工、および乾熱ファイナルセットを施した。
【００７１】
得られた編物において、目付け２０６ｇ／ｍ２、経方向の伸張率５０％、緯方向の伸張率１１０％、乾燥時の通気性１５０ｃｃ／ｃｍ２／ｓ、湿潤時の通気性２８０ｃｃ／ｃｍ２／ｓ、通気性の変化率８７％と湿潤時に通気性が大きく向上し満足なものであった。また、該編物から抜き取った複合繊維において、乾燥時の捲縮率ＤＣＦが６３％、湿潤時の捲縮率ＨＣＦが２０％、乾燥時と湿潤時の捲縮率差（ＤＣＦ−ＨＣＦ）が４３％であった。
【００７２】
［比較例１］
固有粘度［η］が１．３のナイロン６と、固有粘度［η］が０．４８で２．６モル％の５−ナトリウムスルフォイソフタル酸を共重合させた変性ポリエチレンテレフタレートとをそれぞれ２７０℃、２９０℃にて溶融し、特開２０００−１４４５１８号公報の図１と同様の複合紡糸口金を用い、それぞれ１２．７ｇ／分の吐出量にて押し出し、図１（イ）の単糸横断面形状を有するサイドバイサイド型複合繊維を形成させ、冷却固化、油剤を付与した後、糸条を速度１０００ｍ／分、温度６０℃の予熱ローラーにて予熱し、ついで、該予熱ローラーと、速度２７００ｍ／分、温度１５０℃に加熱された加熱ローラー間で延伸熱処理を行い、巻取り、８４ｄｔｅｘ／２４ｆｉｌの複合繊維を得た。該複合繊維において、破断強度２．３ｃＮ／ｄｔｅｘ、破断伸度４１％であった。また、該複合繊維に沸水処理を施して捲縮率を測定したところ、乾燥時の捲縮率ＤＣが１．２％、湿潤時の捲縮率ＨＣが３．９％、乾燥時の捲縮率ＤＣと湿潤時の捲縮率ＨＣとの差（ＤＣ−ＨＣ）が−２．７％であった。
【００７３】
次いで、前記の複合繊維を用いて、実施例１と同様に丸編物を製編した後、染色加工、、吸水加工、および乾熱ファイナルセットを施した。
【００７４】
得られた編物において、目付け１７０ｇ／ｍ２、経方向の伸張率５２％、緯方向の伸張率１０２％、乾燥時の通気性２３０ｃｃ／ｃｍ２／ｓ、湿潤時の通気性１６０ｃｃ／ｃｍ２／ｓ、通気性の変化率−３０％と湿潤時に通気性が低下してしまい不満足なものであった。また、該編物から抜き取った複合繊維において、乾燥時の捲縮率ＤＣＦが５４％、湿潤時の捲縮率ＨＣＦが６５％、乾燥時と湿潤時の捲縮率差（ＤＣＦ−ＨＣＦ）が−１１％であった。
【００７５】
［比較例２］
実施例１において、吸水加工を施さないこと以外は実施例１と同様にした。得られた編物において、目付け２２５ｇ／ｍ２、経方向の伸張率６７％、緯方向の伸張率１０３％、乾燥時の通気性８７ｃｃ／ｃｍ２／ｓ、湿潤時の通気性７５ｃｃ／ｃｍ２／ｓ、通気性の変化率−１４％と湿潤時に通気性が低下し不満足なものであった。
【００７６】
［実施例３］
通常の２８ゲージトリコット編機を使用して、実施例１と同じ複合繊維をフルセットでバック筬に通し、沸水収縮率１０％の通常のポリエチレンテレフタレートマルチフィラメント糸条（３３ｄｔｅｘ／１２ｆｉｌ）をフルセットでフロント筬に通し、ハーフ組織（バック１２−１０、フロント１０−２３）、機上密度５０コース／２．５４ｃｍの編物を編成した。
【００７７】
次いで、該編物に、実施例１と同様に染色加工、吸水加工、および乾熱ファイナルセットを施した。
【００７８】
得られた編物において、経方向の伸張率２５％、緯方向の伸張率８０％、乾燥時の通気性９０ｃｃ／ｃｍ２／ｓ、湿潤時の通気性２５２ｃｃ／ｃｍ２／ｓ、通気性の変化率１８０％と湿潤時に通気性が大きく向上し満足なものであった。また、編物から抜き取った複合繊維において、乾燥時の捲縮率ＤＣＦが６３％、湿潤時の捲縮率ＨＣＦが２８％、乾燥時と湿潤時の捲縮率差（ＤＣＦ−ＨＣＦ）が３５％であった。
【産業上の利用可能性】
【００７９】
本発明によれば、織編物の通気性が、湿潤時に、乾燥時よりも可逆的に性能よく向上する織編物および繊維製品が得られ、その工業的価値は極めて大である。
【図面の簡単な説明】
【００８０】
【図１】本発明で用いられる複合繊維の単糸横断面形状を例示した模式図である。
【符号の説明】
【００８１】
Ｐ：ポリエステル成分
Ｎ：ポリアミド成分
【図１】
2006097147.tif 000003